【手続補正書】
【提出日】平成25年12月9日(2013.12.9)
【手続補正１】
【補正対象書類名】特許請求の範囲
【補正対象項目名】全文
【補正方法】変更
【補正の内容】
【特許請求の範囲】
【請求項１】
モジュールの外周部分によって一部規定される太陽電池（ＰＶ）モジュールを複数含み、相互接続されるアレイであって、上縁部、側縁部及び下縁部を含む外周部によって一部規定され、前記相互接続されるアレイの前記上縁部または前記下縁部の少なくとも一方に沿って傾斜した屋根に固定される前記相互接続されるアレイと、
揚力を隣接するＰＶモジュールに分配し、前記ＰＶモジュールの前記外周部に沿って設けられる連結構造と、
前記相互接続されるアレイの前記下縁部に沿って設けられる少なくとも１つの風向偏向部材と、
前記傾斜した屋根に設けられ、ＰＶモジュールの前記相互接続されるアレイの少なくとも一部分を支持する１以上の非貫通型台座脚部と
を備えるアセンブリ。
【請求項２】
前記相互接続されるアレイに掛かる風の揚力に対処するべく、前記相互接続されるアレイ内の力の分配、前記相互接続されるアレイの圧力均等化処理及び前記相互接続されるアレイの空気力学的処理のうちの少なくとも１つを使用する請求項１に記載のアセンブリ。
【請求項３】
前記連結構造は、隣接するＰＶモジュール間に配置されて隣接するモジュールの縁部分を平らにし、隣接するＰＶモジュールを取り外すことなく１つのＰＶモジュールを取り外すことを可能にする請求項１または２に記載のアセンブリ。
【請求項４】
前記風向偏向部材は、前記相互に接続されたアレイと前記屋根との間に空気を流すことを可能にするための空隙を、前記風向偏向部材と前記下縁部との間に有する請求項１から３のいずれか一項に記載のアセンブリ。
【請求項５】
前記傾斜した屋根及び前記相互接続されるアレイに接続された貫通部材を更に備え、
前記貫通部材は、前記相互接続されるアレイの設置面積内に設けられる、前記相互接続されるアレイの前記外周部に沿って設けられる、または、その両方である請求項１から４のいずれか一項に記載のアセンブリ。
【請求項６】
前記上縁部または前記側縁部の少なくとも一方に沿って位置する少なくとも１つの風向偏向部材を更に備える請求項１から５のいずれか一項に記載のアセンブリ。
【請求項７】
第１ＰＶモジュールは、回転することにより第２ＰＶモジュールに固定可能である請求項１から６のいずれか一項に記載のアセンブリ。
【請求項８】
第１ＰＶモジュールは、スライドすることにより第２ＰＶモジュールから取り外し可能である請求項１から７のいずれか一項に記載のアセンブリ。
【請求項９】
モジュール外周部分によって一部規定される太陽電池（ＰＶ）モジュールを複数含む相互接続されるアレイであって、上縁部及び下縁部を含む外周部、並びに、前記モジュール外周部分に沿って設けられる連結構造によって一部規定され、傾斜した屋根に固定される前記相互接続されるアレイと、
前記傾斜した屋根と接続され、屋根取り付け位置を形成する１以上の貫通部材と、
アレイ取り付け位置において前記相互接続されるアレイと前記１以上の貫通部材とを接続する少なくとも１つの可撓性を有する繋縛と、
前記傾斜した屋根上に設けられ、ＰＶモジュールの前記相互接続されるアレイの少なくとも一部を支持する１以上の台座脚部と
を備え、
前記屋根取り付け位置は、前記アレイ取り付け位置からずれていてもよいアセンブリ。
【請求項１０】
前記連結構造により、隣接するＰＶモジュールを取り外すことなく１つのＰＶモジュールを取り外すことが可能となる請求項９に記載のアセンブリ。
【手続補正２】
【補正対象書類名】明細書
【補正対象項目名】００４１
【補正方法】変更
【補正の内容】
【００４１】
本開示の要約は、３７ＣＦＲ§１．７２（ｂ）に従って提供されており、読者が本開示の技術の本質を手短に理解できるように記載されている。また、請求項の範囲又は意味を解釈又は限定するのに使用されないものとして、提供されている。上記の詳細な説明において、様々な特徴をグループ化して、開示の説明が長くならないようにしている。本開示の方法が、特許請求される実施形態が、各請求項に明示的に記載される以上の構成を必要とすることを反映していると解釈されるべきでない。添付の特許請求の範囲は、発明の特徴が、１つの開示された実施形態の全ての特徴よりも少ない数であることを意図している。従って、特許請求の範囲も、詳細な説明に組み込まれ、請求項はそれぞれ、別個の実施形態として独立している。
［項目１］
モジュールの外周部分によって一部規定される太陽電池（ＰＶ）モジュールを複数含み、相互接続されるアレイであって、上縁部、側縁部及び下縁部を含む外周部によって一部規定され、前記相互接続されるアレイの前記上縁部又は前記下縁部の少なくとも一方に沿って傾斜した屋根に固定される前記相互接続されるアレイと、
揚力を隣接するＰＶモジュールに分配し、前記ＰＶモジュールの前記外周部に沿って設けられる連結構造と、
前記相互接続されるアレイの前記下縁部に沿って設けられる少なくとも１つの風向偏向部材と、
前記傾斜した屋根に設けられ、ＰＶモジュールの前記相互接続されるアレイの少なくとも一部分を支持する１以上の非貫通型台座脚部と
を備えるアセンブリ。
［項目２］
前記相互接続されるアレイに掛かる風の揚力に対処するべく、前記相互接続されるアレイ内の力の分配、前記相互接続されるアレイの圧力均等化処理及び前記相互接続されるアレイの空気力学的処理のうちの少なくとも１つを使用する項目１に記載のアセンブリ。
［項目３］
前記連結構造は、隣接するＰＶモジュール間に配置されて隣接するモジュールの縁部分を平らにし、隣接するＰＶモジュールを取り外すことなく１つのＰＶモジュールを取り外すことを可能にする項目１に記載のアセンブリ。
［項目４］
前記風向偏向部材は、前記相互に接続されたアレイと前記屋根との間に空気を流すことを可能にするための空隙を、前記風向偏向部材と前記下縁部との間に有する項目１に記載のアセンブリ。
［項目５］
前記風向偏向部材は、前記相互接続されるアレイと前記屋根との間の空気の対流を可能にする孔を多数有すると共に、前記相互接続されるアレイの上方を通過する突風を偏向する項目１に記載のアセンブリ。
［項目６］
前記相互接続されるアレイ、風向偏向部材及び前記台座脚部は全体として、前記屋根上での平均荷重が、略１０ポンド／平方フィートを超えないように軽量化されている項目１に記載のアセンブリ。
［項目７］
前記相互接続されるアレイは、貫通部材を使用して、前記傾斜した屋根に固定されている項目１に記載のアセンブリ。
［項目８］
前記相互接続されるアレイは、隣接するＰＶモジュールの間に間隙を有する少なくとも複数の前記ＰＶモジュールを含む項目１に記載のアセンブリ。
［項目９］
前記台座脚部は、ノンバラスト化された台座脚部である項目１に記載のアセンブリ。
［項目１０］
前記傾斜した屋根及び前記相互接続されるアレイに接続された貫通部材を更に備え、
前記貫通部材は、前記相互接続されるアレイの設置面積内に設けられる、前記相互接続されるアレイの前記外周部に沿って設けられる、又は、その両方である項目１に記載のアセンブリ。
［項目１１］
前記傾斜した屋根は、１／１２よりも大きな傾斜を有する項目１に記載のアセンブリ。
［項目１２］
前記上縁部又は前記側縁部の少なくとも一方に沿って位置する少なくとも１つの風向偏向部材を更に備える項目１に記載のアセンブリ。
［項目１３］
前記１以上の台座脚部は、高さを調整可能な脚部である項目１に記載のアセンブリ。
［項目１４］
前記１以上の台座脚部は、エラストマー材料を含む項目１３に記載のアセンブリ。
［項目１５］
前記１以上の台座脚部は、バネの脚部である項目１３に記載のアセンブリ。
［項目１６］
第１ＰＶモジュールの第１の側は凹型取り付け構造を有し、第２ＰＶモジュールの第２の側は凸型取り付け構造を有し、
前記凸型取り付け構造は、前記凹型取り付け構造に受容される項目１に記載のアセンブリ。
［項目１７］
前記台座脚部と前記屋根の表面との間に配置される接着剤を更に備える項目１に記載のアセンブリ。
［項目１８］
前記１以上の台座脚部は、上部及び下部によって一部規定され、カプラが前記上部から延在する項目１に記載のアセンブリ。
［項目１９］
第１ＰＶモジュールは、回転することにより第２ＰＶモジュールに固定可能である項目１に記載のアセンブリ。
［項目２０］
第１ＰＶモジュールは、スライドすることにより第２ＰＶモジュールから取り外し可能である項目１に記載のアセンブリ。
［項目２１］
前記屋根に取り付けられ、屋根取り付け位置を形成する１以上の貫通部材、及び、
アレイ取り付け位置において前記相互接続されるアレイと前記１以上の貫通部材とを接続する少なくとも１つの可撓性を有する繋縛を更に備え、
前記屋根取り付け位置は、前記アレイ取り付け位置からずれていてもよい項目１に記載のアセンブリ。
［項目２２］
モジュール外周部分によって一部規定される太陽電池（ＰＶ）モジュールを複数含む相互接続されるアレイであって、上縁部及び下縁部を含む外周部、並びに、前記モジュール外周部分に沿って設けられる連結構造によって一部規定され、傾斜した屋根に固定される前記相互接続されるアレイと、
前記傾斜した屋根と接続され、屋根取り付け位置を形成する１以上の貫通部材と、
アレイ取り付け位置において前記相互接続されるアレイと前記１以上の貫通部材とを接続する少なくとも１つの可撓性を有する繋縛と、
前記傾斜した屋根上に設けられ、ＰＶモジュールの前記相互接続されるアレイの少なくとも一部を支持する１以上の台座脚部と
を備え、
前記屋根取り付け位置は、前記アレイ取り付け位置からずれていてもよいアセンブリ。
［項目２３］
前記１以上の貫通部材は、前記傾斜した屋根の表面下の垂木と接続される項目２２に記載のアセンブリ。
［項目２４］
前記１以上の貫通部材は、前記モジュール外周部分とは、ずらして設けられている項目２２に記載のアセンブリ。
［項目２５］
繋縛締め付け部材を更に備える項目２２に記載のアセンブリ。
［項目２６］
前記相互接続されるアレイの第１ＰＶモジュールは回転させることにより、前記相互接続されるアレイの第２ＰＶモジュールに固定可能である項目２２に記載のアセンブリ。
［項目２７］
前記相互接続されるアレイの第１ＰＶモジュールはスライドさせることにより、前記相互接続されるアレイの第２ＰＶモジュールに取り外し可能である項目２２に記載のアセンブリ。
［項目２８］
前記連結構造により、隣接するＰＶモジュールを取り外すことなく１つのＰＶモジュールを取り外すことが可能となる項目２２に記載のアセンブリ。
［項目２９］
最小限の貫通を行う屋根搭載構造を使用して、傾斜した屋根上に、２つ以上の太陽電池（ＰＶ）モジュールを搭載する段階と、
ＰＶモジュールのアレイを構成するべく、前記２つ以上のＰＶモジュールを相互接続する段階と、
前記アレイの上縁部の少なくとも一部を、前記傾斜した屋根に固定する段階と、
少なくとも１つの風向偏向部材を、前記アレイの下縁部の少なくとも一部と接続する段階と、
前記アレイに掛かる風の揚力に対処するべく、前記アレイ内の力の分配、前記アレイの圧力均等化処理及び前記アレイの空気力学的処理を行う段階と
を備える方法。
［項目３０］
相互接続されたＰＶモジュールのアレイから、周りを取り囲むＰＶモジュールを取り外すことなく、少なくとも１つのＰＶモジュールを取り外す段階を更に備える項目２９に記載の方法。
［項目３１］
前記少なくとも１つのＰＶモジュールを取り外す段階は、第１ＰＶモジュールを第２ＰＶモジュールに対してスライドさせる段階を有する項目３０に記載の方法。
［項目３２］
前記２つ以上のＰＶモジュールを相互接続する段階は、
第１ＰＶモジュールの凸型取り付け構造を、第２ＰＶモジュールの凹型取り付け構造に挿入する段階と、
前記第１ＰＶモジュールを前記第２ＰＶモジュールに対して回転させる段階とを有する項目２９に記載の方法。
［項目３３］
前記アレイの第１ＰＶモジュールと、前記アレイの第２ＰＶモジュールとを連結させる段階を更に備える項目２９に記載の方法。
［項目３４］
前記屋根搭載構造と前記傾斜した屋根の表面との間に、接着剤を配置する段階を更に備える項目２９に記載の方法。
［項目３５］
可撓性を有する繋縛ケーブルを使用して、前記アレイの一部分を前記傾斜した屋根に固定する段階を更に備え、
前記固定する段階は、前記繋縛ケーブルを、前記アレイ及び前記屋根の上部デッキに接続された貫通部材に固定する段階を有する項目２９に記載の方法。
［項目３６］
前記２つ以上のＰＶモジュールを搭載する段階は、
前記２つ以上のＰＶモジュールを、ＰＶモジュールの水平方向の行に配置する段階と、
隣接するＰＶモジュール間に、連結を配置する段階と
を有する項目２９に記載の方法。
［項目３７］
前記連結を取り除き、第１ＰＶモジュールを隣接するＰＶモジュールに対してスライドさせる段階を更に備える項目３６に記載の方法。
［項目３８］
モジュール外周部分によって一部規定される太陽電池（ＰＶ）モジュールを複数含む相互接続されるアレイであって、前記ＰＶモジュールは隣接するＰＶモジュールの間に間隙を有し、前記相互接続されるアレイは、上縁部及び下縁部を含む外周部によって一部規定され、前記上縁部の少なくとも一部に沿って傾斜した屋根に固定される前記相互接続されるアレイと、
前記モジュール外周部分に沿って、隣接するＰＶモジュールの間に設けられる連結構造と、
前記相互接続されるアレイの前記下縁部に沿って設けられる少なくとも１つの風向偏向部材と、
前記傾斜した屋根に設けられ、ＰＶモジュールの前記相互接続されるアレイの少なくとも一部分を支持する１以上の非貫通型台座脚部と
を備えるアセンブリ。